(57)【特許請求の範囲】
【請求項１】
左右一対の側壁を有するコネクタセット部と、該コネクタセット部に向けて進退自在な検査部とを備え、該検査部に複数の導通ピンが配設された導通検査具において、前記検査部の前端にガイドピンが突設され、前記各導通ピンを挿通させる各孔部を有する導通ピン保護板が該ガイドピンに沿ってばね付勢のもとで進退自在に設けられ、導通検査時に該導通ピン保護板の前端面が前記コネクタセット部の左右一対の側壁の後端面に当接し、且つ該側壁の後端面と該検査部の前端面との間に挟まれることを特徴とする導通検査具の導通ピン保護構造。
【請求項２】
前記検査部がリンクを介して進退駆動用のレバーに連結され、該リンクが、一対の分割リンクと、該一対の分割リンクを離間方向に付勢するばねと、該一対の分割リンクの長孔に係合する固定ピンを有するばね保持カバーとで構成され、前記導通ピン保護板の前端面が前記コネクタセット部の左右一対の側壁の後端面に当接した際に、該リンクが該ばねの付勢に抗して短縮されることを特徴とする請求項１記載の導通検査具の導通ピン保護構造。
【発明の詳細な説明】
【技術分野】
【０００１】
本発明は、コネクタ内の端子に突き当てて導通を検査するための導通ピンを保護板で外部との干渉等から保護する導通検査具の導通ピン保護構造に関するものである。
【背景技術】
【０００２】
図４（ａ）（ｂ）は、従来の導通検査具の一形態を示すものである。
【０００３】
この導通検査具６１は、コネクタ６２の導通を検査するための複数の導通ピン６３を有する検査部６４と、コネクタ６２をセットするコネクタセット部６５と、検査部６４をスライド自在に、且つセット部６５を固定式に配置するフレーム６６と、フレーム６６に回動自在に設けられ、検査部６４をセット部６５に向けて進退させるレバー６７とを備えている。
【０００４】
そして、検査部６４の前側の開口６８内に導通ピン調整板６９を配置して上下のコイルばね７０で前向きに付勢し、図４（ａ）の非検査時において調整板６９の各孔部７１内に各導通ピン６３の先端を配置し、図４（ｂ）の検査時においてコネクタ６２の後端面６２ａで調整板６９を押して後退させつつ、調整板６９の孔部７１内に導通ピン６３を貫通させてコネクタ６２内の雌端子７２に接触させるようにしている。調整板６９は、導通ピン６３を外部からの干渉から保護する保護板としても作用する。
【０００５】
導通ピン６３は検査部６４内でコイルばね７３で前向きに付勢されている。導通ピン６３は電線（図示せず）に接続され、電線は導通判定装置（図示せず）に接続されている。コネクタ６２から導出された電線７４は同じく導通判定装置に接続されて、端子７２と電線７４との接続及び導通の良否が検査される。
【０００６】
コネクタ６２は、絶縁樹脂製のコネクタハウジングと、コネクタハウジングの端子収容室内に収容された電線付きの雌端子６２とで構成される。端子７２は端子収容室内で可撓性の係止ランス７５で係止されている。
【特許文献１】特開２００４−３７１６４号公報（図２〜図３）
【発明の開示】
【発明が解決しようとする課題】
【０００７】
しかしながら、上記従来の導通検査具６１においては、調整板６９にコネクタ６２の後端６２ａが当接するために、セット部６５内のコネク６２の姿勢やコネクタ６２の後端面６２ａの角度ばらつき等によって、調整板６９に傾きを生じやすく、その場合に、導通ピン６３と調整板６９の孔部７１とが干渉して、調整板６９のスムーズな後退動作が行われなかったり、導通ピン６３の摩耗を起こすといった懸念があった。このことは、調整板６９と検査部６４の奥壁７６との間において、圧縮コイルばね７０が前後の各突起７７で支持されていることによっても助長され兼ねない。また、検査部６４の短縮化（コンパクト化）を図った場合等において、図４（ｂ）の調整板６９の最後退時すなわちコネクタ６２の導通検査時に、コネクタ６２の全長ばらつき等によって、調整板６９がコイルばね７０を最圧縮した際に、突起７７同士が衝接して調整板６９に無理な圧縮（曲げ）力が作用し兼ねないという懸念があった。
【０００８】
本発明は、上記した点に鑑み、調整板を導通ピンの保護板として用いた場合に、保護板を傾きなくスムーズに進退させることができ、それに加えて、コネクタの導通検査時に保護板に無理な曲げ力等を作用させず、確実に導通検査を行わせることのできる導通検査具の導通ピン保護構造を提供することを目的とする。
【課題を解決するための手段】
【０００９】
上記目的を達成するために、本発明の請求項１に係る導通検査具の導通ピン保護構造は、左右一対の側壁を有するコネクタセット部と、該コネクタセット部に向けて進退自在な検査部とを備え、該検査部に複数の導通ピンが配設された導通検査具において、前記検査部の前端にガイドピンが突設され、前記各導通ピンを挿通させる各孔部を有する導通ピン保護板が該ガイドピンに沿ってばね付勢のもとで進退自在に設けられ、導通検査時に該導通ピン保護板の前端面が前記コネクタセット部の左右一対の側壁の後端面に当接し、且つ該側壁の後端面と該検査部の前端面との間に挟まれることを特徴とする。
【００１０】
上記構成により、コネクタセット部にコネクタがセットされ、検査部がコネクタに向けて前進し、導通ピン保護板がコネクタセット部の左右一対の側壁の後端面に突き当たり、ばねが圧縮されつつ導通ピン保護板がガイドピンに沿って摺動しつつ後退して、検査部の前端面との間に挟まれる（挟持される）。それと同時に各導通ピンが導通ピン保護板の各孔部を貫通してコネクタ内の端子に接触して、導通検査が行われる。
【００１１】
導通ピン保護板の前端面がコネクタの左右両側においてコネクタセット部の左右一対の側壁の後端面に面接触で当接することで、導通ピン保護板の倒れ（傾き）が防止され、導通ピン保護板の各孔部と導通ピンとの干渉やそれに伴う摩耗や変形等が防止される。導通ピン保護板がガイドピンに沿って進退することで、導通ピン保護板の倒れ（傾き）が防止され、同様の作用効果が奏される。また、導通ピン保護板がコネクタセット部と検査部との間に挟まれることで、導通ピン保護板の倒れ（傾き）が確実に防止されると共に、導通ピン保護板の曲がり変形等が防止される。
【００１２】
請求項２に係る導通検査具の導通ピン保護構造は、請求項１記載の導通検査具の導通ピン保護構造において、前記検査部がリンクを介して進退駆動用のレバーに連結され、該リンクが、一対の分割リンクと、該一対の分割リンクを離間方向に付勢するばねと、該一対の分割リンクの長孔に係合する固定ピンを有するばね保持カバーとで構成され、前記導通ピン保護板の前端面が前記コネクタセット部の左右一対の側壁の後端面に当接した際に、該リンクが該ばねの付勢に抗して短縮されることを特徴とする。
【００１３】
上記構成により、コネクタの導通検査時に、導通ピン保護板がコネクタセット部の後端面に当接し、検査部の前端面との間に挟まれると同時に、一対の分割リンクがばねの付勢力に抗して接近してリンク長が短縮されることで、それ以上の導通ピン保護板の圧縮が阻止され、導通ピン保護板に過大な圧縮力が作用することが防止され、且つ、各部材の寸法ばらつき等による導通ピン保護板への過大な圧縮負荷等が防止される。
【発明の効果】
【００１４】
請求項１記載の発明によれば、コネクタの導通検査時に、導通ピン保護板の前端面をコネクタセット部の左右一対の側壁の後端面に当接させることで、導通ピン保護板の倒れ（傾き）を防止し、導通ピン保護板の各孔部と導通ピンとの干渉やそれに伴う摩耗や変形等を防止することができる。また、導通ピン保護板をガイドピンに沿って進退させることで、同様に導通ピン保護板の倒れ（傾き）を防止し、導通ピン保護板の各孔部と導通ピンとの干渉やそれに伴う摩耗や変形等を防止することができる。また、コネクタの導通検査時に、導通ピン保護板をコネクタセット部と検査部との間に挟むことで、導通ピン保護板の倒れ（傾き）を防止し、導通ピン保護板の各孔部と導通ピンとの干渉やそれに伴う摩耗や変形等を防止すると共に、導通ピン保護板の曲がり変形やそれに伴う破損等を防止することができる。
【００１５】
請求項２記載の発明によれば、コネクタの導通検査時に、導通ピン保護板をコネクタセット部の後端面に当接させ、検査部の前端面との間に挟むと同時に、リンクの長さを短縮させることで、導通ピン保護板に過大な圧縮力が作用することを防止し、且つ、各部材の寸法ばらつき等による導通ピン保護板への過大な圧縮負荷等を防止することができ、導通検査をスムーズ且つ確実に行うことができる。
【発明を実施するための最良の形態】
【００１６】
図１〜図２は、本発明に係る導通検査具の導通ピン保護構造の一実施形態を示すものである。
【００１７】
この構造は、フレーム２の前端側にコネクタセット部３を固定して設け、フレーム２の内側に沿って検査部４をレバー５の操作でスライド自在に設け、検査部４の前端側に絶縁樹脂製の矩形状の導通ピン保護板６を圧縮コイルばね７の付勢のもとで進退自在に設けた導通検査具１において、保護板６の前端面６ａをコネクタセット部３の後端面９ａ，１０ａに当接させるようにしたものである。
【００１８】
図１はコネクタ１３のセット前の状態、図２はコネクタセット状態で保護板６をセット部３に当接させた導通検査時の状態を示している（図２ではコネクタ１３の図示を省略している）。
【００１９】
図１の如く、フレーム２は金属板で形成され、セット部３はフレーム２の内側にねじ止め等で固定され、検査部４は、フレーム２の内面と、セット部３との間の水平なガイド軸１４とに沿ってスライド自在となっている。
【００２０】
セット部３は合成樹脂で上向きコの字状に形成され、コネクタ１３の一側面の突条１５を係合させる幅狭な縦溝９ｂを一側壁９に有し、コネクタ１３の他側面を係合させる幅広な縦溝１０ｂを他側壁１０に有し、幅広な縦溝１０ｂは後端の金属製の鍔板１６と前端の鍔部１７との間に形成され、鍔板１６の後端面１０ａと一側壁９の後端面９ａとが同一垂直面に位置して、検査部４側の保護板６に同時に当接可能となっている。鍔板１６は側壁１０にねじ止めされ、鍔板１６によって縦溝１０ｂの形成が容易となり、且つ保護板６に対する当接面（後端面）１０ａが強化されて、保護板６を面接触で確実に受け止めることができる。鍔板１６は側壁１０の一部である。
【００２１】
コネクタ１３は、絶縁樹脂製のコネクタハウジング１８と、コネクタハウジング１８の各端子収容室に前部開口１９から挿入された電線付きの金属製の雌端子２０とで構成されている。各端子収容室の後部開口（図示せず）は前部開口１９よりも狭く、相手側コネクタの雄端子（図示せず）と、検査部４の導通ピン２１とを挿入可能となっている。明細書中でコネクタ１３の前後の方向性は導通検査具１の前後の方向性に一致させている。
【００２２】
検査部４は、絶縁樹脂製の箱状の本体２２と、本体２２に配置された複数の上下左右の並列な金属製の導通ピン２１とで構成され、本体２２は前端の垂直な板壁２３を有し、板壁２３の各孔部２４から各導通ピン２１が前方に突出され、各導通ピン２１は内部に細径な圧縮コイルばね（図示せず）を有して一定ストローク伸縮自在である。各導通ピン２１の後端は各電線２５に接続され、各電線２５は束ねられて導通判定装置（図示せず）に接続されている。
【００２３】
板壁２３の上下左右の四方の孔部２６からガイドピン８が前方に突出され、ガイドピン８に保護板６の孔部２７（図２）がスライド自在に係合し、本体２２と保護板６との間でガイドピン８に圧縮コイルばね７が弾設され、コイルばね７の後端部は板壁２３の孔部２６内に進入し、ガイドピン８の前端の大径の頭部８ａの後端面に保護板６の前端面６ａがコイルばね７の力で押し付けられ、保護板６はセット部３の左右の後端面９ａ，１０ａに当接しつつガイドピン８に沿ってスライド式に後退自在となっている。
【００２４】
保護板６の小径な各孔部２８内に各ガイドピン８の前端２１ａが収容保護されている。保護板６の上側に検査部４のガイド壁２９が保護板６よりも前方に突出して配置され、保護板６の上部はガイド壁２９の中央の下向き突部を挿通させる矩形状の切欠部３０を有し、ガイド壁２９は図２の検査時にコネクタ１３の上端面を覆ってコネクタ１３の上下方向位置を規制する。各ガイドピン８の頭部８ａはセット部３の左右の後端面９ａ，１０ａに当接しないように左右の後端面９ａ，１０ａの少し内側に位置している。板壁２３は検査部本体２２と同じ断面積で形成され、保護板６は板壁２３よりも一回り小さく形成され、セット部３の上端よりも上方に延長されている。
【００２５】
保護板６の下側にガイド軸１４が位置し、ガイド軸１４の一端はセット部３の底壁３１に固定され、ガイド軸１４の他端は検査部４内にスライド自在に挿通されている。検査部４の両側壁３２の後部に固定リンク１１が水平に固定され、レバー５がフレーム２に軸支され、固定リンク１１とレバー５との間に可動リンク１２が傾斜状に軸支されている。
【００２６】
図１はレバー５を後方に回動させた状態であり、この状態でセット部３にコネクタ１３がセットされ、図２の如く、レバー５を前方に回動させることで、可動リンク１２が水平方向に回動しつつ、検査部４が前進し、保護板６の前端面６ａの左右両側部分がセット部３の左右の後端面９ａ，１０ａに面接触で当接し、検査部４がさらに前進して、コイルばね７（図１）が最圧縮されて板壁２３の孔部２６（図１）内に収容され、ガイドピン８が検査部本体２２と一体に前進して保護板６から前方に突出し、保護板６はセット部３と板壁２３との間に挟持され、保護板６の前端面６ａがコネクタ１３の左右外側でセット部３の左右の後端面９ａ，９ｂに当接し、保護板６の後端面６ｂが板壁２３の前端面２３ａに当接する。保護板６の前端面６ａがセット部３の後端面９ａ，１０ａに当接すると同時に、コネクタ１３の後端面が保護板６の前端面６ａに当接してもよい。
【００２７】
ガイドピン８と一体に各導通ピン２１が保護板６の各孔部２８から前方に突出し、セット部３内のコネクタ１３の後部開口（図示せず）から端子収容室に進入して端子収容室内の雌端子２０（図１）の例えば前端部に弾性的に接触する。この状態で端子２０の導通検査が行われる。
【００２８】
検査時に保護板６の前端面６ａの左右両側部分がセット部３の左右の側壁９，１０の後端面９ａ，１０ａに面接触で当接することで、保護板６の倒れが防止され、導通ピン２１と保護板６の孔部２８との干渉とそれに伴う導通ピン２１の摩耗や曲がり変形が防止される。また、保護板６がばね７（図１）の付勢に抗して四方のガイドピン８に沿ってスライドすることによっても、保護板６の倒れが防止され、上記効果が促進される。
【００２９】
また、検査時に保護板６の後端面６ｂが検査部４の前壁である板壁２３に面接触で押し付けられることで、保護板６の倒れが確実に防止され、且つ保護板６に曲げ力が作用せず、保護板６の曲がり変形やそれに伴う保護板６の孔部２８と導通ピン２１との干渉が防止される。
【００３０】
図２の検査状態からレバー５を後方に回動させることで、図１の如く、検査部４がスライド式に後退し、ばね７の付勢力で保護板６がガイドピン８に沿って板壁２３から前方に離間し、次いで保護板６がセット部３から後方に離間する。導通ピン２１は保護板６の孔部２８に沿って後退し、導通ピン２１の先端（前端）２１ａが孔部２８内に収容保護される。この状態でセット部３から検査済みのコネクタ１３が上方に取り出される。
【００３１】
なお、図１の検査部４の最後退時において、検査部４の前端面２３ａとコネクタセット部３の後端面９ａ，１０ａとの間に手指等の入らない小さな隙間しか生じない場合は、保護板６を検査部４ではなくセット部３の後端９ａ，１０ａに固定して設け、検査部４の最後退時に検査部４の前端面２３ａから前方に突出した各導通ピン２１の先端（前端）２１ａが保護板６の各孔部２８内に収容されるようにすることも可能である。
【００３２】
この場合は、図２の検査時に、保護板６の後端面６ｂに検査部４の前端面である板壁２３の前端面２３ａが当接し、各導通ピン２１が保護板６の各孔部２８を前方に貫通してセット部３内のコネクタ１３の雌端子２０に接触する。保護板６はねじ止め等でセット部３の両側壁９，１０の後端９ａ，１０ａに固定される。
【００３３】
図３（ａ）（ｂ）は、本発明に係る導通検査具の導通ピン保護構造の他の実施形態を示すものである。
【００３４】
この構造は、上記図１の実施形態のレバー５の可動リンク１２に変位吸収機構を設けて、図３（ｂ）の検査時の導通ピン保護板６とコネクタセット部３と検査部４との当接時（保護板６の前端面６ａがセット部３の後端面９ａ，１０ａに当接し、保護板６の後端面６ｂが検査部４の前端面２３ａに当接した時）における各部の寸法ばらつき等に起因する保護板６への過大な圧縮力を変位吸収機構で吸収可能としたものである。これ以外の構成は上記図１の実施形態と基本的に同様であるので、同様の構成部分には同じ符号を付して詳細な説明を省略する。
【００３５】
この変位吸収機構は、本出願人が先に特開２００１−１６０４７１で提案したものと基本的には同じ構成であるが、保護板６との組合せで有効な効果を発揮するものである。
【００３６】
変位吸収機構（可動リンク１２’）は、前後一対の分割リンク４１と、各分割リンク４１の間に弾設された上下一対の圧縮コイルばね４２と、分割リンク４１の外側でコイルばね４２を保持し、各分割リンク４１の長孔４４にスライド自在に係合する固定ピン４５を有する矩形筒状のばね保持カバー４３とで構成されている。
【００３７】
図３（ａ）のコネクタ１３のセット時に、レバー５は後方に回動し、可動リンク１２’は前下がりに傾斜し、一対の分割リンク４１はコイルばね４２の付勢力で長手方向に離間して伸び、保護板６は検査部４の前端の板壁２３からコイルばね７の力でガイドピン８に沿って前方へ離間し、各導通ピン２１の先端は保護板６の各孔部２８（図１）内に位置し、保護板６の上側に検査部４のガイド壁２９が位置している。
【００３８】
図３（ｂ）のコネクタ１３の導通検査時に、レバー５が前方に回動され、可動リンク１２’が水平方向に回動しつつ検査部４をセット部３に向けて前進させ、保護板６の前端面６ａがセット部３の左右の側壁の後端面９ａ，１０ａに当接し、保護板６の後端面６ｂが板壁２３の前端面２３ａに当接して、保護板６がセット部３と板壁２３との間に挟まれ、それと同時に、一対の分割リンク４１が内蔵のコイルばね４２を圧縮して近接し、可動リンク１２’が短縮されて水平なロック状態となる。
【００３９】
保護板６がセット部３と板壁２３との間に挟まれることで、保護板６の曲がり変形が防止される。また、保護板６の前端面６ａがセット部３の後端面９ａ，１０ａに当接すると同時に、可動リンク１２’が圧縮（短縮）されて、保護板６とセット部３との当接力の一部を吸収することで、保護板６に過大な圧縮力が作用せず、保護板６の圧縮変形等が防止されると共に、レバー５の回動操作及び保護板６とセット部３との当接がスムーズ且つ確実に行われ、コネクタ１３の導通検査が確実に行われる。
【００４０】
図３（ａ）において、検査部４の前端（板壁）２３とセット部３の後端９ａ，１０ａとの間の隙間が小さい場合には、保護板６を検査部２３の前端側ではなくセット部３の後端に設けることも可能であり、その場合も、検査部４の板壁２３とセット部３側の保護板６との当接時に、可動リンク１２’が圧縮変位して、保護板６の圧縮変形等が防止されると共に、レバー５の回動操作及び保護板６と検査部４との当接がスムーズ且つ確実に行われ、コネクタ１３の導通検査が確実に行われる。
【００４１】
なお、図１の実施形態においては、レバー５とリンク１２を用いて検査部４を進退させたが、レバー５とリンク１２に代えて検査部４の進退駆動手段として、例えば水平なエアシリンダ等（図示せず）を用いることも可能である。また、コネクタセット部３の金属製の鍔板１６に代えて側壁１０と一体の鍔部を形成し、その鍔部の後端面１０ａを保護板６に当接させることも可能である。
【図面の簡単な説明】
【００４２】
【図１】本発明に係る導通検査具の導通ピン保護構造の一実施形態を示すコネクタセット時の分解斜視図である。
【図２】同じく導通検査時の状態を示す斜視図である（コネクタは図示を省略している）。
【図３】導通検査具の導通ピン保護構造の他の実施形態を示す、（ａ）はコネクタセット時の正面図、（ｂ）は導通検査時の正面図である。
【図４】従来の導通検査具の一形態を示す、（ａ）はコネクタセット時の縦断面図、（ｂ）は導通検査時の縦断面図である。
【符号の説明】
【００４３】
１            導通検査具
３            コネクタセット部
４            検査部
５            レバー
６            導通ピン保護板
６ａ          前端面
７            コイルばね
８            ガイドピン
９，１０      側壁
９ａ，１０ａ  後端面
１２’        リンク
２１          導通ピン
２３ａ        前端面
２８          孔部
４１          分割リンク
４２          コイルばね
４３          ばね保持カバー
４４          固定ピン
４５          長孔
【図１】
0004921348.tif 000002
【図２】
0004921348.tif 000003
【図３】
0004921348.tif 000004
【図４】
0004921348.tif 000005